(57)【要約】【課題】シンプルな構成で施工が容易で、施工に伴って防湿気密シートの連続性を確保することができ、特に間仕切り壁上下部の気流止めに用いるのに好適な気流止め部材及びそれを用いた防湿気密・気流止め方法を提供することを課題とする。【解決手段】四角形に形成した断熱材１の一面全体に防湿気密シート２を定着し、防湿気密シート２の少なくとも対向する二辺を、断熱材１の厚みよりも長く延出して延出部２ａを形成した気流止め部材を、防湿気密シート２を内側にして二つ折りして気流経路に押し込み、延出部２ａを周辺部の防湿気密シート９に重ね合わせることで、その部分における防湿気密シートの連続性を確保する。【選択図】図２
2015206247.tif 000002
【特許請求の範囲】
【請求項１】
四角形に形成した断熱材の一面全体に防湿気密シートを定着し、前記防湿気密シートの少なくとも対向する二辺を、前記断熱材の厚みよりも長く延出して成る気流止め部材。
【請求項２】
前記断熱材は袋詰めされたものである、請求項１に記載の気流止め部材。
【請求項３】
四角形に形成した断熱材の一面全体に防湿気密シートを定着し、前記防湿気密シートの少なくとも対向する二辺を、前記断熱材の厚みよりも長く延出して成る気流止め部材を、前記防湿気密シートを内側にして二つ折りして気流経路に押し込み、前記防湿気密シートの前記断熱材の厚みよりも長く延出させた部分を周辺部の防湿気密シートに重ね合わせることで、その部分における防湿気密シートの連続性を確保することを特徴とする防湿気密・気流止め方法。
【発明の詳細な説明】
【技術分野】
【０００１】
本発明は、気流止め部材及びそれを用いた防湿気密・気流止め方法に関するものであり、より詳細には、一般住宅における間仕切り壁等の空間を閉塞し、そこを流れる気流を止めて、一般住宅の温熱環境の改善を行うための気流止め部材及びそれを用いた防湿気密・気流止め方法に関するものである。
【背景技術】
【０００２】
軸組工法の場合は、随所に気流が流れる経路が形成されるため、軸組工法は、構造的な隙間ができやすい工法ということができる。特に外壁や間仕切り壁の上下部は、床下又は小屋裏に開放されて気流経路が確立されやすく、この気流は、外壁に設置された断熱材の断熱性能を低下させ、また、間仕切り壁に流れる気流は直接住宅内の温熱環境に悪影響を与え、それが一般住宅の温熱環境劣化の一原因となっている。
【０００３】
そして、この軸組工法における不良工事として多いのが、天井に断熱材を敷き詰めたものの、間仕切り壁上部に気流止めを配置しないといったケースであり、その場合、冬期には間仕切り壁上部の隙間から室内の暖気が逃げ、夏期には、間仕切り壁上部の隙間を通して小屋裏の熱気が室内に入り込むという問題が起こる。従って、開放されている部位を気密材等によって塞ぐことが必要となる。そのための措置は、「気流止め」と称されている。なお、かつてこの「気流止め」は「通気止め」と称されていたが、「通気止め」なる用語は、通気層を塞ぐかのような印象を与え、誤解されるおそれがあるために、平成２１年の住宅・建築の省エネルギー基準の改正により、「気流止め」と改められている。
【０００４】
この気流止めのための部材として、膨張性の芯材を被覆材で被覆し、施工時に被覆材に開口して芯材を膨張させるものがあるが（特許文献１、２）、それらは、運搬中、保管中、あるいは、施工現場等における不注意な取り扱い等により被覆材に穴が開いてしまうと、もはや使用不可となるという問題がある。また、他に、シンプルな構成で施工が容易で、特に間仕切り壁上部の気流止めに用いるのに好適な気流止め部材は提案されていない。また、特許文献３に開示されている通気止材は、単に折り曲げて開口部に嵌め込むというもので、防湿気密シートの連続性については、全く考慮されていない。
【先行技術文献】
【特許文献】
【０００５】
【特許文献１】特開２００３−２８７１９１号公報
【特許文献２】特開２００８−２９７８７８号公報
【特許文献３】実用新案登録第３０３１２８７号公報
【発明の概要】
【発明が解決しようとする課題】
【０００６】
上述したように、従来、施工時に被覆材に開口して芯材を膨張させるタイプの気流止め部材が提案されているが、その部材の場合は、運搬中、保管中、あるいは、施工現場等における不注意な取り扱い等により封止部に穴が開くと使用不可となるという問題があり、更に、折り曲げて開口部に嵌め込むタイプについての提案の場合は、防湿気密シートの連続性について全く考慮されていないという問題があった。
【０００７】
そこで本発明は、シンプルな構成で施工が容易で、施工に伴って防湿気密シートの連続性を確保することができ、特に間仕切り壁上下部の気流止めに用いるのに好適な気流止め部材及びそれを用いた防湿気密・気流止め方法を提供することを課題とする。
【課題を解決するための手段】
【０００８】
上記課題を解決するための請求項１に記載の発明は、四角形に形成した断熱材の一面全体に防湿気密シートを定着し、前記防湿気密シートの少なくとも対向する二辺を、前記断熱材の厚みよりも長く延出して成る気流止め部材である。通例、前記断熱材は袋詰めされたものとされる。
【０００９】
上記課題を解決するための請求項３に記載の発明は、四角形に形成した断熱材の一面全体に防湿気密シートを定着し、前記防湿気密シートの少なくとも対向する二辺を、前記断熱材の厚みよりも長く延出して成る気流止め部材を、前記防湿気密シートを内側にして二つ折りして気流経路に押し込み、前記防湿気密シートの前記断熱材の厚みよりも長く延出させた部分を防湿気密シートに重ね合わせることで、その部分における防湿気密シートの連続性を確保することを特徴とする防湿気密・気流止め方法である。  
【発明の効果】
【００１０】
本発明に係る気流止め部材は上記のとおりであって、シンプルな構成で取り扱いやすく、比較的廉価にて供給でき、施工に際しては、単に二つ折りして開口部に挿入し、はみ出ている延出部と天井板に張設される防湿気密シートとを重ねることで、防湿気密シートの連続性を確保することができ、特に間仕切り壁の上下部の気流止めに用いるのに好適な効果がある。    
【図面の簡単な説明】
【００１１】
【図１】本発明に係る気流止め部材の一実施形態を示す斜視図である。
【図２】本発明に係る気流止め部材の使用方法を示す図である。
【発明を実施するための形態】
【００１２】
本発明を実施するための形態につき、添付図面を参照しつつ説明する。本発明に係る気流止め部材は、四角形に形成した断熱材１の一面全体に防湿気密シート２を定着し、その防湿気密シート２の少なくとも対向する二辺を、断熱材１の厚みよりも長く延出して成るものである。通例、防湿気密シート２は、図示した例のように、その四辺共、断熱材１の厚みよりも長くなるように延長して延出部２ａを形成する。その延出部２ａの長さは、断熱材１の厚みよりも長ければ足りるが、好ましくは、断熱材１の厚みの２〜３倍程度の長さとする。
【００１３】
断熱材１は、一般的なグラスウール、ロックウール等の変形容易、即ち、二つ折り容易な素材製であって、通例、まとまりのよい袋詰めしたものが用いられる。
【００１４】
本発明に係る気流止め部材は、主に新築時において、間仕切り板５及び天井板８の打設前に室内側から気流止め処理を行うために用いるもので、施工に際しては、防湿気密シート２を内側にして二つ折りし、その折り目側を上にして、間仕切り壁構築前に天井の間仕切り壁構築用開口内、換言すれば、野縁６間から挿入し、その折り目部分を小屋梁７に向けて押し込む。
【００１５】
その状態において防湿気密シート２両端の延出部２ａは、断熱材１の厚みよりも長く垂れ下がることになる。この垂れ下った延出部２ａを、断熱材１の端面を経て野縁６の下に回し、必要に応じ、野縁６に仮止めしておく。そして、防湿気密シート９を、その端部を延出部２ａを挟んで野縁６の裏面にタッカー留め等によって留め付けていくことで張設する。その際、必要に応じ、その取り合い部を気密テープ等によって封止する。その後、天井板８を下からあてがって固定する。このようにして防湿気密シート２の延出部２ａと防湿気密シート９の端部とを重ね合わせることで、その部分における両シート間の連続性が確保される。
【００１６】
既存住宅における間仕切り壁部分に断熱気密改修を施すような場合は、その部分の間仕切り壁上部及び天井板の一部を取り除いて、上記作業を行う。また、上述した例は、間仕切り壁上部と天井との間の気流止め方法であるが、この方法は、間仕切り壁下部と床との間の気流止めにも適用可能である。その場合は、上記の場合と逆向きにし、二つ折りした断熱材１の折り目部分を土台に向けて、開口部に挿入する。
【００１７】
この発明をある程度詳細にその最も好ましい実施形態について説明してきたが、この発明の精神と範囲に反することなしに広範に異なる実施形態を構成することができることは明白であり、この発明は特許請求の範囲において限定した以外はその特定の実施形態に制約されるものではない。
【符号の説明】
【００１８】
１      断熱材
２      防湿気密シート
２ａ    延出部
５      間仕切り板
６      野縁
７      小屋梁
８      天井板
９      防湿気密シート
【図１】
2015206247.tif 000003
【図２】
2015206247.tif 000004